(57)【要約】　　　（修正有）【課題】上半身側区域を下半身側区域から立ち上がらせることができる背上げ機能を有すると共に、ソファーとして使用できる多機能ベッドを提供する。【解決手段】一対の長辺および一対の短辺によって規定される床座８を与えるベッド本体２と、前記長辺に沿いながらベッド本体２の一方の側部に配設される遮蔽部材４と、ベッド本体２を支持する台座６と、ベッド本体２と台座６とを連結するアーム機構７と、を備えたベッドであって、ベッド本体２は、前記一対の長辺の中間位置を通る長辺方向分割線によって第１の側部領域と第２の側部領域とに分割され、更に、該側部領域は前記一対の短辺の中間位置を通る短辺方向分割線によって上半身側区域と下半身側区域とに分割され、前記長辺と平行に延びる長辺方向軸のまわりに傾斜可能であり、且つ、上半身側区域を下半身側区域から立ち上がらせるようにした。【選択図】　　　図１
2004081447.tif 000002
【特許請求の範囲】
【請求項１】
一対の長辺および一対の短辺によって規定される床座を与えるベッド本体と、前記床座を駆動させる駆動手段と、前記ベッド本体を支持する台座と、前記ベッド本体と前記台座を連結するアームと、該アームを駆動させる駆動部と、を備える変形駆動ベッドであって、
前記ベッド本体が、前記一対の長辺の中間位置を通る長辺方向分割線により分割した第１の側部領域および第２の側部領域と、該第１の側部領域および該第２の側部領域を前記一対の短辺の中間位置を通る短辺方向分割線により分割した上半身側区域と下半身側区域とのそれぞれの区域を保持する保持台からなる床座と、該床座を支持する枠体と、を備え、前記長辺方向軸のまわりに傾斜可能であって前記第１の側部領域を保持する側部保持台と、前記短辺方向軸のまわりに傾斜可能であって前記上半身側区域を保持する上半身側保持台とからなることを特徴とする多機能ベッド。
【請求項２】
前記駆動手段が前記側部保持台を駆動する側部駆動手段と、上半身側保持台を駆動する上半身側駆動手段と、を備えることを特徴とする請求項１に記載の多機能ベッド。
【請求項３】
前記側部駆動部が、送りねじを用いたアクチュエータであることを特徴とする請求項１または２に記載の多機能ベッド。
【請求項４】
前記側部保持台および／または前記上半身側保持台の駆動を制御する安全装置を備えることを特徴とする請求項１から３いずれか記載の多機能ベッド。
【請求項５】
前記駆動部が、前記アームを介して前記ベッド本体を上下方向に移動するアクチュエータであることを特徴とする請求項１から４いずれか記載の多機能ベッド。
【請求項６】
前記ベッド本体の長辺に沿って、ベッド本体の側部の下面側に遮蔽部材を備えたことを特徴とする請求項１から５いずれか記載の多機能ベッド。
【請求項７】
前記ベッド本体の側部に、グリップ部材と、該グリップ部材を保持する回動可能な支持部材と、からなるサイドレールを備えたことを特徴とする請求項１から６いずれか記載の多機能ベッド。
【請求項８】
前記ベッド本体のそれぞれの保持台の隣り合う側縁に、上方に向けて立ち上がるマットレス止め板を備えたことを特徴とする請求項１から７いずれか記載の多機能ベッド。
【請求項９】
前記ベッド本体の枠体の少なくとも一方の短辺に、上部に幅広の肘掛部を有する側板を備えたことを特徴とする請求項１から８いずれか記載の多機能ベッド。
【発明の詳細な説明】
【０００１】
【発明の属する技術分野】
本発明は、例えばお年寄りが寝たきりにならないように、起きたり、座ったりできる生活環境を作り、自立を助けるのに適用されるベッドに関し、より詳しくはベッドの長辺方向を立ち上げることができると共に、短辺方向も立ち上げることができる機能を有し、ソファー（長椅子）としても使用できるベッドに関する。
【０００２】
【従来の技術】
従来から、介護用ベッドとして、一対の長辺と一対の短辺によって規定される床座を与えるベッド本体の上半身側区域を立ち上がらせる背上げ機構付きベッドが存在する。このベッドは、短辺の中間位置を通る短辺方向分割線を基線として、短辺と平行に延びる短辺方向軸のまわりに立ち上がらせることを可能としたものである。これはパワーシリンダ等の上半身側駆動手段によって、その立ち上がり角度が連続的に変更可能とされるとともに、上半身側保持台が起倒可能とされてなるものであった。このようにしてなるベッドは、上半身側保持部を倒してベッド本体を平坦な状態にすることにより、通常のベッドとして使用することができた。また、必要に応じて上半身側駆動手段を稼動させて上半身側保持台を所望の角度に立ち上がらせることにより、短辺方向軸のまわりで屈曲され、その屈曲部分より先端側を背もたれ部として使用する（この機能を背上げ機能という）ことができた。
【０００３】
【発明が解決しようとする課題】
しかしながら、前記した背上げ機能付きのベッドは、前記床座の短辺と平行に延びる短辺軸方向のまわりに傾斜可能にしたものであって、短辺方向に延びる線を基線として屈曲させることはできるものの、その長辺方向に延びる線を基線として屈曲させることはできない。このため、ベッドをソファー（長椅子）として使用することができなかった。従って、お年寄りがベッドから離れられる場合には、寝たきりにならないようできるだけ椅子を利用する生活に慣れてもらうために、別途、ソファーを準備することがあり、この場合には、ベッドとソファーを収納するための広いスペースが要求されることになる。
【０００４】
一方、ソファーとベッドを兼用するものとしてソファーベッドが存在する。ところが、ソファーベッドは、長辺方向に延びる線を基線として屈曲させることはできるものの、その短辺方向に延びる線を基線として屈曲させることはできない。このため、ベッドとして使用する場合には、上半身側区域を立ち上がらせることができず、寝たままの姿勢しか維持できないという不都合があった。また、ソファーとしての機能が主体であるため、あくまでベッドが主体となるべき介護用ベッドには本来的に不向きであり、また、ベッドとした際の床座の高さも低いため介護を必要とする場合には不都合であった。
【０００５】
本発明は、以上のような課題を鑑みてなされたものであり、上半身側区域を下半身側区域から立ち上がらせることができる（いわゆる背上げ機能を有する）と共に、ソファーとして使用できるベッドを提供することを目的とするものである。
【０００６】
【課題を解決するための手段】
本発明者等は、上記問題を解決するため鋭意研究を重ねた結果、一対の長辺および一対の短辺によって規定される床座を与えるベッド本体を一対の長辺の中間位置を通る長辺方向分割線と一対の短辺の中間位置を通る短辺方向分割線によって４分割し、長辺と平行に延びる長辺方向軸のまわりに傾斜可能である側部保持台と、短辺と平行に延びる短辺方向軸のまわりに傾斜可能である上半身側保持台とを備えることによって、ベッドとして使用する場合には、縦方向に背上げ機能を持たせる。一方で、横方向に背もたれ部を形成することを可能とすることでソファーとしても使用できるようにし、本発明を完成するに至った。
【０００７】
より具体的には、本発明は、以下のようなものを提供する。
【０００８】
（１）　一対の長辺および一対の短辺によって規定される床座を与えるベッド本体と、前記床座を駆動させる駆動手段と、前記ベッド本体を支持する台座と、前記ベッド本体と前記台座を連結するアームと、該アームを駆動させる駆動部と、を備える変形駆動ベッドであって、前記ベッド本体が、前記一対の長辺の中間位置を通る長辺方向分割線により分割した第１の側部領域および第２の側部領域と、該第１の側部領域および該第２の側部領域を前記一対の短辺の中間位置を通る短辺方向分割線により分割した上半身側区域と下半身側区域とのそれぞれの区域を保持する保持台からなる床座と、該床座を支持する枠体と、を備え、前記長辺方向軸のまわりに傾斜可能であって前記第１の側部領域を保持する側部保持台と、前記短辺方向軸のまわりに傾斜可能であって前記上半身側区域を保持する上半身側保持台とからなることを特徴とする多機能ベッドを提供する。
【０００９】
本発明の多機能ベッドは、一対の長辺と一対の短辺によって規定される床座を与えるベッド本体と、前記床座を駆動させる駆動手段と、前記ベッド本体を支持する台座と、前記ベッド本体と前記台座を連結するアームと、該アームを駆動させる駆動部と、前記長辺に沿って前記ベッド本体の側部の下面側に配設されている遮蔽部材と、を備える変形駆動ベッドである。そして、ベッド本体の床座が第１側部領域と第２側部領域に分割され、更に、それぞれの領域が上半身側区域と下半身側区域とに分割され、これら４つの区分を保持する保持台からなり、第１の側部領域を保持する側部保持台は長辺方向軸のまわりに傾斜可能であって、上半身側区域を保持する上半身側保持台は短辺方向軸のまわりに傾斜可能となっている。
【００１０】
これによって、上半身側保持台を立ち上がらせることにより、ベッドに仰向きに寝ている状態から上半身を立ち上がらせることができる。また、側部保持台を立ち上がらせることにより、仰向きに寝ている状態から横向きの状態にすることができる。更に、側部保持台を立ち上がらせることで、この立ち上がった側部保持台が背もたれ部の役割を果たし、ソファー（長椅子）として使用することができる。
【００１１】
ベッド本体は、アームによって架台に連結さえており、このアームを駆動させるための駆動部を備えているので、ベッド本体を上下できる構成となっている。
【００１２】
尚、本発明において、側部保持台とは、第１の側部領域側を構成する保持台を意味し、４分割された区域において、第１の側部領域で上半身側区域を構成する保持台および第１の側部領域で下半身側区域を構成する保持台とで形成される。また、上半身側保持台とは、上半身側区域を構成する保持台を意味し、同じく４分割された区域において、第１の側部領域で上半身側区域を構成する保持台および第２の側部領域で下半身側区域を構成する保持台とで形成される。
【００１３】
（２）　前記駆動手段が前記側部保持台を駆動する側部駆動手段と、上半身側保持台を駆動する上半身側駆動手段と、を備えることを特徴とする（１）に記載の多機能ベッドを提供する。
【００１４】
本発明の多機能ベッドは、ベッド本体に、長辺と平行に延びる長辺方向軸のまわりに傾斜可能である第１の側部領域を保持する側部保持台を備えている。そして、この側部保持台は、第１の側部領域を第２の側部領域から立ち上がらせるための側部駆動手段に連結されている。これによって、側部保持台が立ち上げられることになり、ベッドに仰向けに寝ている状態から横向きの状態に体位を変えることができる。また、立ち上げられた側部保持台が背もたれ部となるので、ソファー（長椅子）としても使用できることになる。
【００１５】
また、短辺と平行に延びる短辺方向軸のまわりに傾斜可能である上半身側区域を保持する上半身側保持台と備えている。そして、この上半身側保持台は、上半身側区域を下半身側区域から立ち上がらせるための上半身側駆動手段に連結されている。これによって、上半身側保持台が立ち上げられることになり、ベッドに仰向けに寝た状態から上半身を起き上がらせることができる背上げ機能付きベッドとして使用できることになる。
【００１６】
尚、この側部保持台および上半身側保持台を立ち上がらせる駆動手段としては、通常はパワーシリンダ、送りねじを用いたアクチュエータ等が適用される。この他にモータ等を適用してもよく、さらには、人力を適当な減速機構とともに適用してもよい。尚、本発明において、パワーシリンダとは、高圧の空気圧または油圧により駆動し、シリンダー内にピストンをもつ直線状に動作するアクチュエータを意味し、送りねじを用いたアクチュエータとは、回転駆動源の回転駆動力をねじを刻設したスピンドルねじ（送りねじ軸）を介して、スライダに伝達することにより、このスライダを直線状に往復動作させるアクチュエータを意味する。また、アクチュエータとは、回転駆動源による回転運動を直線運動に変換し、この直線運動の作用下にピストンやスライダが変位する装置を意味し、パワーシリンダ、送りねじ等が挙げられる。
【００１７】
（３）　前記側部保持台の駆動手段が、送りねじを用いたアクチュエータであることを特徴とする（１）または（２）に記載の多機能ベッドを提供する。
【００１８】
本発明の多機能ベッドによれば、側部保持台を立ち上がらせる駆動手段として、モータ等の回転軸にスピンドルねじが設けられ、このスピンドルねじにスライダが螺合され、スピンドルねじの回転運動を直線運動に変換されて、スライダが往復運動して側部保持台を立ち上げるものとしている。スピンドルねじの回転は、モータ等により機械的な方法で行う以外に、人力によって行うようにしてもよい。このねじ送りを用いたアクチュエータは、スピンドルねじに刻設された雄ねじとスライダに刻設された雌ねじとが螺合する形になっているので、このねじの螺合によって、側部保持台の立ち上がった状態を確実に保持することができ安全である。また、何らかの理由によって側部保持台の立ち上がり途中等において、モータ等の動力源の通電が遮断された場合、モータ等の回転軸を回転することで、スピンドルねじを回転させることができるので、所定の位置まで立ち上がらせることができる。尚、スピンドルねじとは、モータ等の駆動源の回転を伝達する軸であって、この軸にねじが刻設されたものを意味する。
【００１９】
（４）　前記側部保持台および／または前記上半身側保持台の駆動を制御する安全装置を備えることを特徴とする（１）から（３）いずれか記載の多機能ベッドを提供する。
【００２０】
本発明の多機能ベッドは、側部保持台および／または上半身側保持台の立ち上がり動作を制御するための安全装置を備えており、側部保持台または上半身側保持台のいずれか一方の保持台が立ち上げられていると、他方の保持台は立ち上げられないように制御されている。このため、一方の保持台が立ち上げられた状態では、他方の保持台が立ち上がることがないので、ベッドの破損等を防止できる。
【００２１】
（５）　前記駆動部が、前記アームを介して前記ベッド本体を上下方向に移動するアクチュエータであることを特徴とする（１）から（４）いずれか記載の多機能ベッドを提供する。
【００２２】
本発明の多機能ベッドは、ベッド本体を上下方向に移動させる駆動部を備えているので、ベッドの高さを調整できる。これによって、本発明の多機能ベッドをベッドとして使用する際は、ベッドとして適した高さに調整し、ソファーとして使用する際には、ソファーとして適した高さに調整できる。また、介護を必要とする場合には、介護する人に適した高さに調整できる。更に、利用者がベッドから立ち上がる際に適した高さに調整することもできる。
【００２３】
また、この駆動部としては、ベッド本体を上下に移動できる機構であれば特に限定されるものでなく、通常はパワーシリンダ、送りねじを用いたアクチュエータ等といったものが適用される。この他にモータ等を適用してもよく、さらには、人力を適当な減速機構とともに適用してもよい。
【００２４】
（６）　前記ベッド本体の長辺に沿って、ベッド本体の側部の下面側に遮蔽部材を備えたことを特徴とする（１）から（５）いずれか記載の多機能ベッドを提供する。
【００２５】
本発明の多機能ベッドによれば、遮蔽部材がベッド本体の長辺に沿って、このベッド本体の側部の下面側に配設されているので、ベッド本体の側部の下方を覆い遮蔽することになる。これによって、ソファーとして使用する際に、側部駆動手段、上半身側駆動手段、ベッド本体駆動手段等の各種駆動手段が装備されたベッド本体の下側に足が入り込まない様に防止することができ、安全である。
【００２６】
（７）　前記ベッド本体の側部に、グリップ部材と、該グリップ部材を保持する回動可能な支持部材と、からなるサイドレールを備えたこと特徴とする（１）から（６）いずれか記載の多機能ベッドを提供する。
【００２７】
本発明の多機能ベッドは、ベッド本体の長辺に沿って、ベッド本体の側部にサイドレールを備えている。このサイドレールはベッド本体の側部の下面側に水平方向に回動可能に取付けられた支持部材とこの支持部材に保持されるグリップ部材とから構成されている。このサイドレールはベッドで食事や読書等をする際に使用するテーブル他をセットする架台としての役割を果たすことになる。また、このサイドレールは、グリップ部材とベッド本体の側部の下面側に水平方向に回動可能に取付けられた支持部材とから構成されているので、ベッドをソファー（長椅子）として使用する際やベッドから立ち上がる際には、グリップ部材を取り外し、支持部材を水平方向に回動してベッド本体の側部の下面側に収納できる。このため、ソファーをして使用する場合に、この支持部材やグリップ部材が邪魔になることがない。
【００２８】
（８）　前記ベッド本体のそれぞれの保持台の隣り合う側縁に、上方に向けて立ち上がるマットレス止め板を備えたことを特徴とする（１）から（７）いずれか記載の多機能ベッドを提供する。
【００２９】
本発明の多機能ベッドは、それぞれの保持台の隣り合う側縁、すなわち床座の外周側縁に、複数個のマットレス止め板を有するので、このマットレス止め板内にマットレスを収めることで、側部保持台を立ち上がらせた際、また、上半身側保持台を立ち上がらせた際に、マットレスが移動して床座から飛び出したりズレたりしないように保持される。
【００３０】
（９）　前記ベッド本体の枠体の少なくとも一方の短辺に、上部に幅広の肘掛部を有する側板を備えたことを特徴とする請求項１から８いずれか記載の多機能ベッドを提供する。
【００３１】
本発明の多機能ベッドは、ベッド本体の枠体の少なくとも一方の短辺に、上方に向けて立ち上がる側板を備えているので、ベッドとして使用するときには、これら側板がヘッドボードおよびフットボードの役割を果たし、寝ている人がベッドから落ちるのを防止される。また、ソファーとして使用するときには、肘掛部の役割を果たすことになる。
【００３２】
【発明の実施の形態】
以下、本発明に係る多機能ベッドについて、図面に基づいて説明する。
【００３３】
図１は本発明に係る多機能ベッドを模式的に示す斜視図であり、図２は図１に示す本発明に係る多機能ベッドを斜め前方向からみた要部を示す正面図であり、図３は図１に示す本発明に係る多機能ベッドのベッド本体の平面図であり、図４は図１に示す本発明に係る多機能ベッドのサイドレールの取付け部近傍（図１のＡ部分）の拡大図であり、図５は図１に示す本発明に係る多機能ベッドの平面図で、側部駆動手段、上半身側駆動手段並びにベッド本体を上下移動させる駆動部を透視して示す図であり、図６は図５に示した側部駆動手段を図５の左側から示す図であり、図７は図５に示した上半身側駆動手段を図５の下側から示す図であり、図８は図５に示したベッド本体移動駆動部を図５の下側から示す図である。
【００３４】
本実施形態の多機能ベッド１は、図１および図２に示すようにベッド本体２とこのベッド本体２を支持する枠体３と遮蔽部材４とサイドレール５と架台６および枠体３と架台６を連結するアーム７とを備える。ベッド本体２は、一対の長辺並びに短辺によって規定される床座８を与えている。そして、床座８は枠体３によって支持されている。ベッド本体２は４本のアーム７によって、枠体３の長辺３ａ、３ａ’と架台６の長辺６ａ、６ａ’とに連結されている。また、枠体３の短辺３ｂ，３ｂ’には側板９，９’が上方に向けて取付けられている。この側板９は図１および図４に示すように、両側に柱体９ａを有し、柱体の上部に設置された幅広な肘掛部９ｂと、両柱体に亘って設置された板材９ｃとから構成されている。
【００３５】
また、床座８は図３に示すように、一対の長辺の中間位置を通る長辺方向分割線１０によって、第１の側部領域１２と第２の側部領域１３とに分割される。さらに、第１の側部領域１２および第２の側部領域１３は、それぞれ、一対の短辺の中間を通る短辺方向分割線１１によって、上半身側区域１４と下半身側区域１５に分割される。そして、それぞれは、合板等の板材で保持台が形成されている。すなわち、第１の側部領域１２において上半身側区域１４を形成する第１保持台１６、第２の側部領域１３において上半身側区域１５を構成する第２保持台１７、第１の側部領域１２において下半身側区域１４を構成する第３保持台１８、第２の側部領域１３において下半身側区域１５を構成する第４保持台１９とからなる。
【００３６】
また、第１から第４のそれぞれの保持台１６〜１９には、床座８の外周となる隣り合う側縁に厚み３ｍｍ程度で高さ約７５ｍｍ程度の合板製のマットレス止め板８ａが、上方に立ち上がるようにして複数個設けられている（図２、図３参照）。尚、このマットレス止め板８ａの材質は合板に限られず、合成樹脂板、金属板等であってもよい。また、大きさも使用するマットレスの大きさにより適宜選定すればよい。そして、図示していないが、この床座の上面にはマットレスが通常は敷かれ、ベッド面が形成される。このマットレスは、ベッド本体２の長辺方向分割線および短辺方向分割線に相当する位置に深さ２０ｍｍ程度、幅１０ｍｍ程度の凹部が形成された厚さ１００ｍｍ程度で、ベッド本体１の床座８とほぼ同じ寸法のウレタン樹脂製発泡弾性体で構成されたものであって、保持台の側縁に設けられたマットレス止め板の内側に配設される。尚、マットレスとしては、合成樹脂の発泡弾性体を詰めたものの他に、椰子の実の繊維、綿などの植物性繊維を詰めたもの、羊毛、鳥の羽毛などの動物性繊維を詰めたもの、オープンコイル、ポケットコイルなどのスプリングの上下に詰め物を当てたもの等が挙げられる。
【００３７】
更に、後述するように、第１の側部領域を構成する第１保持台１６及び第３保持台１８（以下、これらの保持台を総称して側部保持台２０という）と、上半身側区域１４を構成する第１保持台１６および第２保持台１７（以下、これらの保持台を総称して上半身側保持台２１という）とを立ち上がらせるための駆動手段、並びにベッド本体２を上下に移動するための駆動手段が設けられている。
【００３８】
また、遮蔽部材４が、図１から図４に示すように、枠体３の長辺３ａの下面部（裏側）に配設されている。この遮蔽部材４は、例えば、幅２００ミリ程度、厚み６ｍｍ程度で、ベッド本体１の長辺の長さとほぼ同じ長さの合板等の板材であって、ベッド本体１の床座８の側縁の近傍から下方に向けて配設されている。
【００３９】
尚、この遮蔽部材４は、合板等の板材の他に、合成樹脂板、金属板とうが挙げられる。また、枠体３に取付けられたサイドレールを支持する支持部材５ｂが位置する部分には支持部材５ｂが自在に回動できるように切り込み部４ａが形成されている。
【００４０】
さらに、遮蔽部材４はロールスクリーン他であってもよい。ロールスクリーンの場合は、ベッド本体の長辺に沿って、このベッド本体の側部の下面側に配設され、上下方向に昇降可能なスクリーンと、該スクリーンを巻き取り収納する収納部とを備える。これによって、ソファーとして使用する際には、スクリーンを下方に降ろして、その下端を台座に止め付けることにより、スクリーンがベッド本体の側部の下方を覆い遮蔽する。これによって、ソファーに腰掛けている際に、側部駆動手段、上半身側駆動手段、ベッド本体駆動手段等の各種駆動手段が装備されたベッド本体の下側に足が入り込まない様に防止することができる。尚、この遮蔽部材を駆動する手段としては、モータ等の機械的な方法や人力による方法が挙げられる。
【００４１】
また、側部保持台２０および／または上半身側保持台２１には、その下面側（裏面側）にそれぞれの保持台を立ち上がらせる駆動手段を制御する安全装置用リミッタが設置されている。一方、枠体３には、このリミッタを感知して駆動手段を作動させる感知スイッチが取付けられている。これによって、側部保持台２０または上半身側保持台２１のいずれかが下がっていて、枠体３上に接していなければお互いの駆動手段は作動しない機構となり、安全性が確保される。
【００４２】
また、サイドレール５は、図２ないし図４に示すように、グリップ部材５ａと支持部材５ｂとからなり、この支持部材５ｂは枠体３の長辺３ａ，３ａ’に水平方向に回転可能に取付けられ、この支持部材５ｂの上面側に形成された凹部にグリップ部材５ａの脚部を挿入して装着されている（図４参照）。尚、この装着は、支持部材５ｂに形成された凹部にサイドレール５ａの脚部を挿入するようにしておこなっているが、このサイドレールの取り付けは、上記に限定されるものでなく、例えば、ベッド本体２の側部上面にグリップ部材５ａの脚部を挿入する穴を設けて、この穴にグリップ部材５ａを取付けるようにしてもよい。
【００４３】
このように、サイドレール５は、本発明のベッド１をソファーとして使用する際や、ベッド１から起きて立ち上がる際、あるいは介護を必要とする際には、グリップ部材５ａは取り外しができるようになっている。そして、支持部材５ｂは枠体３の長辺３ａに止着された位置を中心として、枠体３側にほぼ９０°転回され、ベッド本体２の下面側に収納される。これによって、ベッド１をソファーとして使用する際や、ベッド１から立ち上がる際、あるいは介護を必要とする際には、グリップ部材５ａを取り外し、支持部材５ｂを水平方向に回動してベッド本体の下面側に収納されているため、このグリップ部材５ａや支持部材５ｂが邪魔になることはない。
【００４４】
また、アーム７は、ベッド本体２を上下の方向に移動するための駆動部に連結されており、後述するように、ベッド本体２を上下に移動する駆動アーム４８とベッド本体２に固定された固定アーム４９と連結アーム５２とから構成されている。（図８参照）
【００４５】
また、図示していないが、第１の側部領域の側部保持台２０（第１保持台１６、第３保持台）の長辺側端縁にマクラを取り外し自在に取り付けできるように構成してもよい。これによって、第１の側部領域の側部保持台２０側のサイドレールを取り外して、第１の側部保持台２０を立ち上がらせて背もたれ部とし、ベッド１をソファーとして使用する際、マクラを取り付けることによって、頭部をマクラに持たせかけることができ、よりリラックスできる。
【００４６】
次に、図５ないし図８を参照して、側部保持台、上半身側保持台並びにベッド本体を駆動するための機構について説明する。図５には、第１の側部領域１２を第２の側部領域１３から立ち上がらせるための側部駆動手段２２と、上半身側区域１４を下半身側区域１５から立ち上がらせるための上半身側駆動手段３３、並びにベッド本体２を上下方向に移動させるためのベッド本体駆動部４０の配置状態が、ベッド本体２の上方から透視されて示されている。
【００４７】
まず、側部駆動手段２２の詳細について、図５と共に、図６を参照して説明する。図６は、図５の左側の側部（矢印Ｂの方向）からみた側部駆動手段２２を示している。側部駆動手段２２は、往復駆動可能な送りねじアクチュエータ２３を備える。送りねじアクチュエータ２３は、その基端が、ピン２４を介して、ベッド本体２の枠体３に設けられたブラケット２５に回動可能に連結され、スライダ２６は、ピン２７を介して、連結アーム２８の先端に回動可能に連結される。連結アーム２８の基端は、ベッド本体の枠体３に設けられたブラケット２９に回動可能に保持されたシャフト３０に固定される。シャフト３０には、駆動アーム３１，３１’の各基端が固定される。駆動アーム３１，３１’の先端には、ローラ３２，３２’が回転可能に取付けられている。
【００４８】
また、第１の側部領域１２に相当する部分は、側部保持台２０によって保持されている。側部保持台２０は、床座８の長辺と平行して延びる長辺方向軸（長辺方向分割線１０）のまわりに傾斜可能である。側部保持台２０のそれぞれ保持台１６，１８下面には、前述のローラ３２，３２’が係合し得るローラ受け（図示せず）が設けられている。
【００４９】
図６において、想像線で示すように、スライダ２６が突出した（図面上において、左手方向に移動）とき、連結アーム２８およびシャフト３０を介して、駆動アーム３１，３１’が図面上において時計方向へ回動され、ローラ３２，３２’がローラ受けに係合しながら、側部保持台２０を立ち上がらせる。これによって、第１の側部領域１２は、第２の側部領域１３から立ち上がった状態となる。これによって、ベッド上に仰向けに寝たままの状態から、横向きの姿勢とされる。また、ソファーとして使用する場合には、この立ち上がった側部保持台２０が背もたれ部となる。尚、側部保持台２０の立ち上げ角度は、略９０°まで可能であって、更に、無段階に調整が可能で、任意の角度で保持することができる。
【００５０】
また、実線で示すように、逆にスライダ２６が引っ込められたとき、連結アーム２８およびシャフト３０を介して、駆動アーム３１，３１’が反時計方向へ回動され、これに応じて、側部保持台２０が倒れるように回動される。これによって、第１の側部領域１２は、第２の側部領域１３と同じ面を形成する状態となる。
【００５１】
次に、上半身側駆動手段３３の詳細について、図５と共に、図７を参照して説明する。図７は、図５の下側の側部（矢印Ｃ方向）から、上半身側駆動手段３３を示している。上半身側駆動手段３３は、往復駆動可能なパワーシリンダ３４を備える。パワーシリンダ３４は、その基端が、ピン３５を介して、ベッド本体の枠体３に設けられたブラケット３６に回動可能に連結され、プランジャ３７が、ピン３８を介して、二本の駆動アーム３９，３９’の先端に連結される。それぞれの駆動アーム３９，３９’の基端は、上半身側保持台２１のそれぞれの保持台１６，１７の下面に固定される。
【００５２】
また、床座８の上半身側区域１４に相当する部分は、上半身側保持台２１によって保持されている。上半身側保持台２１は、床座８の短辺と平行して延びる短辺方向軸（短辺方向分割線１１）のまわりに傾斜可能である。
【００５３】
図７において、想像線で示すように、プランジャ３７が突出した（図面上において、右手方向に移動）とき、ピン３８を介して、駆動アーム３９，３９’が図面上において反時計方向へ回動され、上半身側保持台２１を立ち上がらせる。これによって、上半身側区域１４は、下半身側区域１５から立ち上がった状態となる。これによって、ベッド上に仰向けに寝たままの状態から、上半身が起き上った姿勢とされる。尚、上半身側保持台２１の立ち上げ角度は、略９０°まで可能であって、更に、無段階に調整が可能で、任意の角度で保持することができる。
【００５４】
また、実線で示すように、逆にプランジャ３７が引っ込められたとき、ピン３８を介して、駆動アーム３９，３９’が時計方向へ回動され、これに応じて、上半身側保持台２１が倒れるように回動される。これによって，上半身側区域１４は、下半身側区域１５と同じ面を形成する状態となる。
【００５５】
次に、ベッド本体２を上下方向に移動するベッド本体駆動部４０の詳細について、図５と共に、図８を参照して説明する。図８は、図５の下側の側部（矢印Ｃの方向）からみたベッド本体駆動部４０を示している。ベッド本体駆動部４０は、往復駆動可能なパワーシリンダ４１を備える。パワーシリンダ４１は、その基端が、ピン４２を介して、ベッド本体の枠体３に設けられたブラケット４３に回動可能に連結され、プランジャ４４が、ピン４５を介して、シャフト４６に連結されている。シャフト４６の両端はそれぞれピン４７，４７’を介して、それぞれの駆動アーム４８，４８’の先端に回動可能に連結される。それぞれの駆動アーム４８，４８’の基端は、ベッド本体の枠体３に設けられたそれぞれの固定アーム４９，４９’に回転可能に保持されたそれぞれのシャフト５０，５０’に固定される。それぞれのシャフト５０，５０’の両端は、それぞれの連結アーム５２，５２’の先端がそれぞれピン５１，５１’を介して連結され、連結アーム５２，５２’の基端は、架台６の長辺６ａに設けられたそれぞれのブラケット５３，５３’にピン５４，５４’を介して回動可能に連結される。
【００５６】
図８において、想像線で示すように、プランジャ４４が引っ張られたとき、ピン４５を介して、シャフト４６が図面上において右手方向に移動する。これに伴って、それぞれの駆動アーム４８，４８’は図面上において時計方向に回動する。それぞれの連結アーム５２，５２’も時計方向へ回動され、それぞれのシャフト５０，５０’が下方に移動して、ベッド本体２が下方に移動される。これによって、ベッド本体２の高さを調整できることになり、ソファーとして使用する場合に、ソファーとして適した高さに調整できる。尚、この高さの調整は任意の高さに調整できる。
【００５７】
また、実線で示すように、逆にプランジャ４４が突出させたとき、ピン４５を介して、夫々の駆動アーム４８，４８’およびそれぞれの連結アーム５２，５２’が逆時計方向へ回動され、これに応じて、ベッド本体２が上方に移動される。これによって、ベッドとして使用する場合や介護する場合には、所定の高さに床座８を保持できる。
【００５８】
以上、この発明を図示した実施形態に関連して説明したが、この発明の範囲内において、種々の変更を加えることができる。例えば、第１の側部領域１２の側部保持台２０は第１の保持台１６および第３の保持台１８が同時に立ち上がるように構成されるのではなく、それぞれが単独で立ち上がるような構成とか、また、上半身側保持部２１も第１の保持台１６および第２の保持台１７が同時に立ち上がるように構成されるのではなく、それぞれが単独で立ち上がるような構成にしてもよい。
【００５９】
また、図示した実施形態では、遮蔽部材４はベッド本体２の長辺に沿って、枠体３の一方の長辺３ａに配設したが、枠体３の長辺、短辺のいずれにも配設してもよい。また、側部保持台、上半身側保持台およびベッド本体の駆動手段として、側部保持台の場合は送りねじを用いたアクチュエータとしたが、パワ−シリンダ他であってもよい。また、上半身側保持台およびベッド本体の場合についても、パワーシリンダに限定されず、送りねじ他を用いてもよい。
【００６０】
【発明の効果】
以上説明したように、本発明によれば、側部保持台および上半身側保持を立ち上がらせる機構とし、また、ベッド本体を上下に移動可能な機構としているので、側部保持台を立ち上がらせることにより、この立ち上がった側部保持台が背もたれ部としての機能を果たし、ソファーとして利用できるので、お年寄りが寝たきりにならないように、起きたり、座ったりできる生活環境を提供でき、自立の助けとなる。
【００６１】
また、上半身側保持台を立ち上がらせることにより、ベッド面上に仰向けに寝た状態で上半身を立ち上がらせることができるため、ベッドから起き上がるのが容易となる。特に寝たきりのお年寄りが食事等する際に、上半身を立ち上げさせることで食事がし易くなる。
【００６２】
また、ベッド本体を上下に移動させることにより、ベッドの高さを、足腰が弱った方や膝が曲がり難くなった方等利用者の身体状況に合わせた床高にできるので、立ち上がってベッドから乗り降りすることが容易である。更に、介護を必要とする際に、ベッドの高さを介護人が介護し易い高さに調整できる。また、ソファーとして使用する場合には、ソファーに適した高さに調整することができる。
【００６３】
また、本発明のベッドには、ベッド本体の長手側部に遮蔽部材を設けたので、ソファーとして使用している際に、利用者が誤って足をベッド本体の下側に入れてしまう恐れを防止でき、安全が確保される。更に、介護する際も、この遮蔽部材を下げておくことにより、同様に安全を確保して介護ができる。
【００６４】
また、サイドレールを取り外し可能としているので、ベッドから乗り降りする際や介護する際に邪魔になることはない。
【００６５】
また、側部保持台および上半身側保持台には、駆動を制御する安全装置が設けられているので、これらの保持台が同時に駆動することがなく、ベッド等を破損する恐れがない。
【図面の簡単な説明】
【図１】本発明に係る多機能ベッドを模式的に示す斜視図である。
【図２】図１に示す本発明に係る多機能ベッドを斜め前方向からみた要部を示す正面図である。
【図３】図１に示す本発明に係る多機能ベッドのベッド本体の平面図である。
【図４】図１に示す本発明に係る多機能ベッドのサイドレールの取付け部近傍（図１のＡ部分）の拡大図である。
【図５】本発明に係る多機能ベッドの平面図で、側部駆動手段、上半身側駆動手段並びにベッド本体を上下移動させる駆動部を透視して示す図である。
【図６】図５に示した側部駆動手段を図５の左側から示す図である。
【図７】図５に示した上半身側駆動手段を図５の下側から示す図である。
【図８】図５に示したベッド本体移動駆動部を図５の下側から示す図である。
【符号の説明】
１　多機能ベッド
２　ベッド本体
３　枠体
４　遮蔽部材
５　サイドレール
６　架台
７　アーム
８　床座
８ａ　マットレス止め板
９　側板
１０　長辺方向分割線
１１　短辺方向分割線
１２　第１の側部領域
１３　第２の側部領域
１４　上半身側区域
１５　下半身側区域
２０　側部保持部
２１　上半身側保持部
２２　側部駆動手段
２３　送りねじアクチュエータ
２６　スライダ
２８，５２，５２’　連結アーム
３０，４６，５０，５０’　シャフト
３１，３９，３９’，６，４８，４８’　駆動アーム
３３　上半身側駆動手段
３４，４１　パワーシリンダ
３７，４４　プランジャ
４０　ベッド本体駆動部
４９，４９’　固定アーム
【図１】
2004081447.tif 000003
【図２】
2004081447.tif 000004
【図３】
2004081447.tif 000005
【図４】
2004081447.tif 000006
【図５】
2004081447.tif 000007
【図６】
2004081447.tif 000008
【図７】
2004081447.tif 000009
【図８】
2004081447.tif 000010